Podtech/llm-jp-corpus-v4-ja_patent huggingface dataset:
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
遊技に関する当否判定の結果が大当りとなったときに大当り遊技が実行される遊技機であって、
前記大当り遊技には、その内容が異なる複数種類が設けられ、
実行し終えた少なくとも直近複数回分の前記大当り遊技の内容を表す大当り種別情報を表示しかつ、前記大当り遊技の終了に起因して表示する前記大当り種別情報の更新する大当り種別情報出力手段と、を有し、
前記大当り種別情報出力手段は、前記大当り遊技の実行中は前記大当り種別情報を非表示とし、前記大当り遊技の終了に起因して、前記大当り種別情報を更新した状態で再表示する遊技機。
【請求項２】
前記当否判定の結果を予め定められた保留上限数まで保留記憶可能な保留手段と、を有し、
前記大当り種別情報出力手段は、前記大当り遊技が開始されるときに前記保留手段に保留記憶されている前記当否判定の結果に大当りが含まれている場合には、当該大当り遊技と保留記憶されている大当りに対応する大当り遊技とが終了した後に、それら大当り遊技に対応する前記大当り種別情報が纏めて追加表示されるように更新する、請求項１に記載の遊技機。
【手続補正２】
【補正対象書類名】明細書
【補正対象項目名】０００６
【補正方法】変更
【補正の内容】
【０００６】
第１の手段は、遊技に関する当否判定の結果が大当りとなったときに大当り遊技が実行される遊技機であって、前記大当り遊技には、その内容が異なる複数種類が設けられ、実行し終えた少なくとも直近複数回分の前記大当り遊技の内容を表す大当り種別情報を表示しかつ、前記大当り遊技の終了に起因して表示する前記大当り種別情報の更新する大当り種別情報出力手段と、を有し、前記大当り種別情報出力手段は、前記大当り遊技の実行中は前記大当り種別情報を非表示とし、前記大当り遊技の終了に起因して、前記大当り種別情報を更新した状態で再表示する遊技機である。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
遊技者の操作とモーターの駆動との何れによっても第１位置から第２位置に移動可能な共有可動部を有し、
前記第１位置と前記第２位置との間に基準位置が設定され、
前記共有可動部が、遊技者の操作を受けて前記第１位置側から前記基準位置に到達した場合に前記モーターの励磁を停止するモーター制御手段を備える遊技機。
【手続補正２】
【補正対象書類名】明細書
【補正対象項目名】０００６
【補正方法】変更
【補正の内容】
【０００６】
第１手段は、遊技者の操作とモーターの駆動との何れによっても第１位置から第２位置に移動可能な共有可動部を有し、前記第１位置と前記第２位置との間に基準位置が設定され、前記共有可動部が、遊技者の操作を受けて前記第１位置側から前記基準位置に到達した場合に前記モーターの励磁を停止するモーター制御手段を備える遊技機である。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
表示手段と、
前記表示手段において、所定の順番で複数の候補図柄が並ぶように表示される図柄群を、当該複数の候補図柄が並ぶ方向に変動表示した後、最終的に当該複数の候補図柄のうちの一部であるＸ個（Ｘは２以上の自然数）の前記所定の順番で並ぶ図柄を対象図柄として表示し、当該Ｘ個の対象図柄の組み合わせによりその後の遊技の進行を示唆する図柄変動演出を実行する演出実行手段と、
を備えることを特徴とするぱちんこ遊技機。
【手続補正２】
【補正対象書類名】明細書
【補正対象項目名】発明の名称
【補正方法】変更
【補正の内容】
【発明の名称】ぱちんこ遊技機
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
互いに分離した分離状態と合体した合体状態とに状態変化可能であると共に、前記合体状態で第１位置と第２位置との間を移動可能な第１可動演出部材と第２可動演出部材とを備える遊技機であって、
前記合体状態で、前記第１可動演出部材の少なくとも一部が前記第２可動演出部材によって前側から覆われて視認困難になる遊技機。
【手続補正２】
【補正対象書類名】明細書
【補正対象項目名】０００６
【補正方法】変更
【補正の内容】
【０００６】
第１の手段は、互いに分離した分離状態と合体した合体状態とに状態変化可能であると共に、前記合体状態で第１位置と第２位置との間を移動可能な第１可動演出部材と第２可動演出部材とを備える遊技機であって、前記合体状態で、前記第１可動演出部材の少なくとも一部が前記第２可動演出部材によって前側から覆われて視認困難になる遊技機である。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
遊技に関する当否判定を行い、前記当否判定の結果が小当りであるときに小当り遊技を実行し、前記当否判定の結果が大当りであるときに大当り遊技を実行する遊技機において、
前記大当り遊技には、その大当り遊技の開始から途中までの態様が前記小当り遊技の態様と区別困難に構成される特殊大当り遊技が含まれていて、
開放条件が成立したときに、遊技球の入球を規制する閉状態から所定時間だけ遊技球の入球を許容する開状態になり、入球を起因として前記当否判定が行われる始動入賞口を有し、
遊技状態には、通常遊技状態と、前記通常遊技状態よりも前記開放条件の成立が容易な特別遊技状態と、が設けられ、前記特別遊技状態の終了条件には、前記大当り遊技の開始が含まれ、
前記当否判定の結果を報知する演出を実行する演出実行手段を有し、
前記演出実行手段は、結果を報知する前記当否判定に起因して、前記小当り遊技と前記特殊大当り遊技との何れの当り遊技が行われる場合でも、その当り遊技の開始前に、前記始動入賞口とは異なる特定入球口への遊技球の入球を促す入球促し表示を行う遊技機。
【請求項２】
前記小当り遊技と前記大当り遊技で開放される大入賞口を有し、
前記特定入球口は、前記大入賞口へ入球した遊技球が入球可能に構成されている、請求項１に記載の遊技機。
【請求項３】
前記演出実行手段は、前記入球促し表示を行う際に、前記特定入球口の周辺を光らせる、請求項１又は２に記載の遊技機。
【手続補正２】
【補正対象書類名】明細書
【補正対象項目名】０００４
【補正方法】変更
【補正の内容】
【０００４】
特許文献１の遊技機では、大当り遊技の開始を契機にして始動入賞口を開閉する開閉部材の動作態様が変化することがあり、開閉部材の動作から大当りと小当りの何れに当選したかが先バレするという問題があった。
【手続補正３】
【補正対象書類名】明細書
【補正対象項目名】０００６
【補正方法】変更
【補正の内容】
【０００６】
第１の手段は、遊技に関する当否判定を行い、前記当否判定の結果が小当りであるときに小当り遊技を実行し、前記当否判定の結果が大当りであるときに大当り遊技を実行する遊技機において、前記大当り遊技には、その大当り遊技の開始から途中までの態様が前記小当り遊技の態様と区別困難に構成される特殊大当り遊技が含まれていて、開放条件が成立したときに、遊技球の入球を規制する閉状態から所定時間だけ遊技球の入球を許容する開状態になり、入球を起因として前記当否判定が行われる始動入賞口を有し、遊技状態には、通常遊技状態と、前記通常遊技状態よりも前記開放条件の成立が容易な特別遊技状態と、が設けられ、前記特別遊技状態の終了条件には、前記大当り遊技の開始が含まれ、前記当否判定の結果を報知する演出を実行する演出実行手段を有し、前記演出実行手段は、結果を報知する前記当否判定に起因して、前記小当り遊技と前記特殊大当り遊技との何れの当り遊技が行われる場合でも、その当り遊技の開始前に、前記始動入賞口とは異なる特定入球口への遊技球の入球を促す入球促し表示を行う遊技機である。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
当否判定情報を複数記憶することが可能な記憶手段と、
前記記憶手段に記憶されている前記当否判定に関する情報のそれぞれに対応づけられた保留表示を表示する表示手段と、
を備え、
前記保留表示の態様として、複数種の態様が設定されており、
前記表示手段に複数の保留表示が表示されている際に、複数の特定画像が表示された上で、当該複数の保留表示の少なくとも一部である複数の対象保留表示のそれぞれに対して特定画像が視覚的に作用し、当該複数の対象保留表示のそれぞれが別の態様に変化するか否かを一度に示す保留変化演出が実行可能であることを特徴とする遊技機。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
遊技盤の前側に形成された遊技領域に向けて遊技球を発射することによって遊技を行う遊技機において、
前記遊技領域を前後方向に移動することにより、前記遊技領域の中の所定の特定領域へ遊技球が進入する経路を塞いだ閉鎖状態と、該経路を開放した開放状態とを切り換えることが可能な可動部材と、
前記開放状態から前記閉鎖状態へと移動する前記可動部材の移動方向の先に位置し、前記遊技盤と略平行な対向板と、
前記対向板から前記可動部材側に突出した状態で該可動部材に臨む位置に設けられた突起と
を備え、
前記対向板は、前記遊技盤に接して取り付けられており、
前記対向板との間に遊技球が通過可能な間隔を空けて設けられ、前記経路の前側を構成する前板を有し、
前記前板には、前記開放状態で前記可動部材を収容する収容部が形成されており、
前記遊技領域を前後方向に移動可能に設けられて、前記閉鎖状態では前記対向板に形成された通し孔に引き込まれているのに対して、前記開放状態では前記通し孔から前方に突出して前記経路の下側を構成する床板を有し、
前記床板の上面には、前方に向かって下がる傾斜が付けられており、
遊技球は、前記開放状態で前記床板と前記前板とで支えられながら、前記特定領域に向けて転動する
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤の前側に形成された遊技領域に向けて遊技球を発射することによって遊技を行う遊技機において、
前記遊技領域を前後方向に移動することにより、前記遊技領域の中の所定の特定領域へ遊技球が進入する経路を塞いだ閉鎖状態と、該経路を開放した開放状態とを切り換えることが可能な可動部材と、
前記開放状態から前記閉鎖状態へと移動する前記可動部材の移動方向の先に位置し、前記遊技盤と略平行な対向板と、
前記対向板から前記可動部材側に突出した状態で該可動部材に臨む位置に設けられた突起と
を備え、
前記対向板は、前記遊技盤に接して取り付けられており、
前記対向板との間に遊技球が通過可能な間隔を空けて設けられ、前記経路の前側を構成する前板を有し、
前記前板には、前記開放状態で前記可動部材を収容する収容部が形成されており、
前記遊技領域を前後方向に移動可能に設けられて、前記閉鎖状態では前記対向板に形成された通し孔に引き込まれているのに対して、前記開放状態では前記通し孔から前方に突出して前記経路の下側を構成する床板を有し、
前記床板の上面には、前方に向かって下がる傾斜が付けられており、
遊技球は、前記開放状態で前記床板と前記前板とで支えられながら、前記特定領域に向けて転動する
ことを特徴とする。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
複数の画像信号が入力される複数の入力手段と、
入力された画像信号に画像処理を適用し、出力画像を生成する処理手段と、
を備え、
前記複数の画像信号が原画像の画素を互いに異なる位置で間引いて得られた複数の間引き画像信号である場合、前記処理手段は、前記複数の間引き画像信号のうちいずれかの１つの画像信号に基づく画像に第１の画像処理を施した第１画像と、前記複数の間引き画像信号のうちいずれか１つの画像信号に基づく画像に前記第１の画像処理と異なる第２の画像処理を施した第２画像と、を並べて配置した画像を前記出力画像として生成することを特徴とする画像処理装置。
【請求項２】
前記複数の画像信号が前記原画像を分割して得られた複数の分割画像信号である場合、前記処理手段は、前記複数の分割画像信号から前記原画像を縮小した縮小画像を生成し、前記縮小画像に対して前記第１の画像処理を施した画像と、前記縮小画像に対して前記第２の画像処理を施した画像とを並べて配置した画像を前記出力画像として生成することを特徴とする請求項１に記載の画像処理装置。
【請求項３】
前記複数の間引き画像信号は、それぞれ前記原画像において異なる画素の画像信号からなり、かつ、各間引き画像信号に基づく画像は、前記原画像の解像度を低減した画像に対応する画像となることを特徴とする請求項１または２に記載の画像処理装置。
【請求項４】
前記原画像の画素を間引いた間引き画像に対応する画像信号は、前記原画像に基づいて、２−Ｓａｍｐｌｅ  Ｉｎｔｅｒ  ｌｅａｖｅ方式で生成された画像信号であることを特徴とする請求項１乃至３のいずれか１項に記載の画像処理装置。
【請求項５】
前記第１の画像処理と前記第２の画像処理とは、同じ種類の画像処理であって、それぞれ画像処理の強度が異なることを特徴とする請求項１乃至４のいずれか１項に記載の画像処理装置。
【請求項６】
前記第１画像は、所定の画像処理が施された画像であって、前記第２画像は、前記所定の画像処理が施されない画像であることを特徴とする請求項１乃至５のいずれか１項に記載の画像処理装置。
【請求項７】
前記処理手段は、前記第１画像と、前記第２画像と、前記複数の画像信号のうち第３画像信号に基づく第３画像と、前記複数の画像信号のうち第４画像信号に基づく第４画像と、を並べて配置して前記特定画像を生成することを特徴とする請求項１乃至６のいずれか１項に記載の画像処理装置。
【請求項８】
前記複数の入力手段は、Ｓｅｒｉａｌ  Ｄｉｇｉｔａｌ  Ｉｎｔｅｒｆａｃｅ規格に対応した複数の入力端子であることを特徴とする請求項１乃至７のいずれか１項に記載の画像処理装置。
【請求項９】
請求項１乃至８のいずれか１項に記載の画像処理装置と、
前記画像処理装置が出力した前記特定画像に基づいて画像を表示する表示手段と、
を備えることを特徴とする表示装置。
【請求項１０】
複数の画像信号が入力される複数の入力手段を備える画像処理装置の制御方法であって、
入力された画像信号に画像処理を適用し、出力画像を生成する処理工程を備え、
前記複数の画像信号が原画像の画素を互いに異なる位置で間引いて得られた複数の間引き画像信号である場合、前記処理工程は、前記複数の間引き画像信号のうちいずれか１つの画像信号に基づく画像に第１の画像処理を施した第１画像と、前記複数の画像信号のうちいずれか１つの画像信号に基づく画像に前記第１の画像処理と異なる第２の画像処理を施した第２画像と、を並べて配置した画像を前記出力画像として生成することを特徴とする画像処理装置の制御方法。
【請求項１１】
前記複数の画像信号が前記原画像を分割して得られた複数の分割画像信号である場合、前記処理工程は、前記複数の分割画像信号から前記原画像を縮小した縮小画像を生成し、前記縮小画像に対して前記第１の画像処理を施した画像と、前記縮小画像に対して前記第２の画像処理を施した画像とを並べて配置した画像を前記出力画像として前記特定画像を生成することを特徴とする請求項１０に記載の画像処理装置の制御方法。
【請求項１２】
前記複数の間引き画像信号は、それぞれ前記原画像において異なる画素の画像信号からなり、かつ、各間引き画像信号に基づく画像は、前記原画像の解像度を低減した画像に対応する画像となることを特徴とする請求項１０または１１に記載の画像処理装置の制御方法。
【請求項１３】
前記原画像の画素を間引いた間引き画像に対応する画像信号は、前記原画像に基づいて、２−Ｓａｍｐｌｅ  Ｉｎｔｅｒ  ｌｅａｖｅ方式で生成された画像信号であることを特徴とする請求項１０乃至１２のいずれか１項に記載の画像処理装置の制御方法。
【請求項１４】
前記第１の画像処理と前記第２の画像処理とは、同じ種類の画像処理であって、それぞれ画像処理の強度が異なることを特徴とする請求項１０乃至１３のいずれか１項に記載の画像処理装置の制御方法。
【請求項１５】
前記第１画像は、所定の画像処理が施された画像であって、前記第２画像は、前記所定の画像処理が施されない画像であることを特徴とする請求項１０乃至１４のいずれか１項に記載の画像処理装置の制御方法。
【請求項１６】
請求項１０乃至１５のいずれか１項に記載の制御方法の各工程を演算処理装置に実行させるためのプログラム。
【請求項１７】
請求項１６に記載のプログラムを記憶する、演算処理装置が読出し可能な記憶媒体。
【手続補正２】
【補正対象書類名】明細書
【補正対象項目名】０００８
【補正方法】変更
【補正の内容】
【０００８】
上述した課題を解決するために、本発明の一実施形態に係る画像処理装置は、複数の画像信号が入力される複数の入力手段と、入力された画像信号に画像処理を適用し、出力画像を生成する処理手段と、を備え、前記複数の画像信号が原画像の画素を互いに異なる位置で間引いて得られた複数の間引き画像信号である場合、前記処理手段は、前記複数の間引き画像信号のうちいずれかの１つの画像信号に基づく画像に第１の画像処理を施した第１画像と、前記複数の間引き画像信号のうちいずれか１つの画像信号に基づく画像に前記第１の画像処理と異なる第２の画像処理を施した第２画像と、を並べて配置した画像を前記出力画像として生成することを特徴とする。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
皮膚の角質層の第１の部分と接触するように構成されている第１の電極と、
前記角質層の第２の部分と接触し、かつ、前記角質層を介して前記第１の電極と電子的に連絡するように構成されている第２の電極と、
補償電圧を生成するように構成されているデジタル対アナログ変換器（ＤＡＣ）と、
前記第１の電極、前記第２の電極、及び前記ＤＡＣに電子的に連絡するプロセッサであって、
（ａ）前記第１の電極に第１の電圧Ｖ＋で及び前記第２の電極に第２の電圧Ｖ−でバイアスをかけること、
（ｂ）前記第１の電極と前記第２の電極との間を流れる第１の電流を測定することであって、前記第１の電流は、前記角質層のコンダクタンスに対応する、こと、
（ｃ）前記第１の電流から補償電流を減じて第２の電流を得ること、
（ｄ）前記第２の電流を増幅し、前記第２の電流を出力電圧に変換すること、
（ｅ）前記出力電圧に基づいて、前記角質層のコンダクタンスを計算することであって、前記角質層のコンダクタンスは、皮膚電気活動の度合いを示す、こと、
（ｆ）前記出力電圧が閾値より大きいか否かを判定すること、及び
（ｇ）前記出力電圧が閾値より大きいと判定したことに応答して、前記ＤＡＣにより生成される前記補償電圧を調節し、前記第１の電流から減じられる前記補償電流を調節し、前記出力電圧の飽和を妨げること、
を行うコンピュータ実行可能な命令を実行するように構成されたプロセッサと、
を備える、装置。
【請求項２】
前記プロセッサは、前記出力電圧が予め定められた最小値より低下する場合に、前記補償電圧を調節して前記補償電流を減少させるコンピュータ実行可能な命令を実行するように更に構成されている、請求項１に記載の装置。
【請求項３】
前記出力電圧は、前記皮膚電気活動の位相値を示す、請求項１に記載の装置。
【請求項４】
前記プロセッサは、所定の期間後に前記第１の電極及び前記第２の電極の極性を反転させて電気分解を低減させるコンピュータ実行可能な命令を実行するように更に構成されている、請求項１に記載の装置。
【請求項５】
前記角質層は、ヒトの皮膚の任意の部分の角質層である、請求項１に記載の装置。
【請求項６】
前記角質層のコンダクタンスは、位相性レベル・コンダクタンスであり、前記プロセッサは、約０．０５μＳから約５０μＳの範囲内の前記角質層の持続性レベル・コンダクタンスを計算するコンピュータ実行可能な命令を実行するように更に構成されている、請求項１に記載の装置。
【請求項７】
前記プロセッサは、０．０００１μＳの解像度で前記角質層の前記コンダクタンスを計算するコンピュータ実行可能な命令を実行するように更に構成されている、請求項１に記載の装置。
【請求項８】
ハウジングを含むリスト・バンドを更に備え、前記プロセッサは、前記ハウジングに配設されている、請求項１に記載の装置。
【請求項９】
前記装置は、ヘッド・バンド、アーム・バンド、フット・バンド、アンクル・バンド、及び指輪のうちの少なくとも１つである、請求項１に記載の装置。
【請求項１０】
心拍センサを更に備える、請求項１に記載の装置。
【請求項１１】
加速度計、温度センサ、血中酸素センサ、及びグルコース・センサのうちの少なくとも１つを更に備える、請求項１０に記載の装置。
【請求項１２】
心拍データ、加速度データ、温度データ、血中酸素データ、及びグルコース・データのうちの少なくとも１つを通信するように構成された通信モジュールを更に備える、請求項１１に記載の装置。
【請求項１３】
前記通信モジュールは、ＵＳＢ、ＵＳＢ２．０、ＩＥＥＥ１３９４、ＢＬＵＥＴＯＯＴＨ（登録商標）、低電力ＢＬＵＥＴＯＯＴＨ（登録商標）、及びＷｉ−Ｆｉのうちの少なくとも１つを介して、外部デバイスと通信するように構成されている、請求項１２に記載の装置。
【請求項１４】
第１の電極に第１の電圧Ｖ＋でバイアスをかけることであって、前記第１の電極は、ユーザの角質層の第１の部分と接触するように構成されている、ことと、
第２の電極に第２の電圧Ｖ−でバイアスをかけることであって、前記第２の電極は、前記角質層の第２の部分と接触し、かつ、前記角質層を介して前記第１の電極と電子的に連絡するように構成されている、ことと、
前記第１の電極と前記第２の電極との間を流れる第１の電流を測定することであって、前記第１の電流は、前記角質層のコンダクタンスに対応する、こと、
前記第１の電流から補償電流を減じて第２の電流を得ること、
前記第２の電流を増幅し、前記第２の電流を出力電圧に変換すること、
前記出力電圧に基づいて、前記角質層のコンダクタンスを計算することであって、前記角質層のコンダクタンスは、皮膚電気活動の度合いを示す、こと、
デジタル対アナログ変換器（ＤＡＣ）を用いて補償電圧を生成すること、
前記出力電圧が閾値より大きいか否かを判定すること、及び
前記出力電圧が閾値より大きいと判定したことに応答して、前記ＤＡＣにより生成される前記補償電圧を調節し、前記第１の電流から減じられる前記補償電流を調節し、前記出力電圧の飽和を妨げること、
を含む、方法。
【請求項１５】
所定の期間後に前記第１の電極及び前記第２の電極の極性を反転させて電気分解を低減させることを更に含む、請求項１４に記載の方法。
【請求項１６】
前記出力電圧は、前記皮膚電気活動の位相値を示す、請求項１４に記載の方法。
【請求項１７】
前記出力電圧が予め定められた最小値より低下する場合に、前記補償電圧を調節することを更に含む、請求項１４に記載の方法。
【請求項１８】
前記補償電圧の準線形関数として前記補償電流を生成することを更に含む、請求項１４に記載の方法。
【請求項１９】
前記補償電流は、前記補償電圧の準線形関数である、請求項１に記載の装置。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
遊技の進行を制御する主遊技部と、
演出の表示制御を司る副遊技部と
始動口への入球に基づき、乱数を取得する乱数取得手段と、
乱数取得手段により乱数が取得された場合、当否判定許可条件を充足するまで当該取得された乱数を保留として一時記憶する乱数一時記憶手段と、
を備え、
副遊技部は、
先読み演出の実行条件を充足する特定保留が存在している場合、特定保留の存在に基づく演出である先読み演出を実行可能であり、
先読み演出の種類として、先読み演出Ａと、先読み演出Ａとは異なる種類の先読み演出Ｂとを少なくとも有しており、
識別情報の変動表示に対応してリーチ状態の成立後における所定の演出が表示されている状況にて特定保留が生起した場合、当該状況では先読み演出Ａを実行開始せず、
特定保留に関する保留情報として、保留情報Ａと保留情報Ｂとを少なくとも有し、
先読み演出Ａは、特定保留に関する保留情報が保留情報Ａである場合でも保留情報Ｂである場合でも実行可能である一方で、先読み演出Ｂは、特定保留に関する保留情報が保留情報Ｂである場合には実行可能であるが保留情報Ａである場合には実行不可能であり、
先読み演出Ａの表示態様は複数種類あり、先読み演出Ａを実行するときには、特定保留に関する保留情報が保留情報Ａであるか保留情報Ｂであるかに応じて、先読み演出Ａの表示態様の選択傾向が異なるよう構成されており、
或る識別情報の変動表示中に先読み演出Ａも先読み演出Ｂも実行開始される場合もあれば、或る識別情報の変動表示中に先読み演出Ａが実行開始され別の識別情報の変動表示中に先読み演出Ｂが実行開始される場合もあり、
識別情報の変動表示中に特定保留が生起したことを契機として、当該識別情報の変動表示中に先読み演出Ａを実行開始可能であり、
識別情報の変動表示中に特定保留が生起したにもかかわらず当該識別情報の変動表示中に先読み演出Ａを実行開始せずとも、当該識別情報の変動表示の次回以降の識別情報の変動表示にて先読み演出Ａを実行開始可能であり、
或る識別情報の変動表示中に特定保留が生起した場合、当該或る識別情報の変動表示中に先読み演出Ａを実行開始する割合と、当該或る識別情報の変動表示中に先読み演出Ａを実行開始せずに次回以降の識別情報の変動表示にて先読み演出Ａを実行開始する割合とが異なるよう構成されている
ことを特徴とするぱちんこ遊技機。
【手続補正２】
【補正対象書類名】明細書
【補正対象項目名】０００６
【補正方法】変更
【補正の内容】
【０００６】
本態様に係るぱちんこ遊技機は、
遊技球が入球可能な始動口と、
遊技の進行を制御する主遊技部と、
演出の表示制御を司る副遊技部と
始動口への入球に基づき、乱数を取得する乱数取得手段と、
乱数取得手段により乱数が取得された場合、当否判定許可条件を充足するまで当該取得された乱数を保留として一時記憶する乱数一時記憶手段と、
を備え、
副遊技部は、
先読み演出の実行条件を充足する特定保留が存在している場合、特定保留の存在に基づく演出である先読み演出を実行可能であり、
先読み演出の種類として、先読み演出Ａと、先読み演出Ａとは異なる種類の先読み演出Ｂとを少なくとも有しており、
識別情報の変動表示に対応してリーチ状態の成立後における所定の演出が表示されている状況にて特定保留が生起した場合、当該状況では先読み演出Ａを実行開始せず、
特定保留に関する保留情報として、保留情報Ａと保留情報Ｂとを少なくとも有し、
先読み演出Ａは、特定保留に関する保留情報が保留情報Ａである場合でも保留情報Ｂである場合でも実行可能である一方で、先読み演出Ｂは、特定保留に関する保留情報が保留情報Ｂである場合には実行可能であるが保留情報Ａである場合には実行不可能であり、
先読み演出Ａの表示態様は複数種類あり、先読み演出Ａを実行するときには、特定保留に関する保留情報が保留情報Ａであるか保留情報Ｂであるかに応じて、先読み演出Ａの表示態様の選択傾向が異なるよう構成されており、
或る識別情報の変動表示中に先読み演出Ａも先読み演出Ｂも実行開始される場合もあれば、或る識別情報の変動表示中に先読み演出Ａが実行開始され別の識別情報の変動表示中に先読み演出Ｂが実行開始される場合もあり、
識別情報の変動表示中に特定保留が生起したことを契機として、当該識別情報の変動表示中に先読み演出Ａを実行開始可能であり、
識別情報の変動表示中に特定保留が生起したにもかかわらず当該識別情報の変動表示中に先読み演出Ａを実行開始せずとも、当該識別情報の変動表示の次回以降の識別情報の変動表示にて先読み演出Ａを実行開始可能であり、
或る識別情報の変動表示中に特定保留が生起した場合、当該或る識別情報の変動表示中に先読み演出Ａを実行開始する割合と、当該或る識別情報の変動表示中に先読み演出Ａを実行開始せずに次回以降の識別情報の変動表示にて先読み演出Ａを実行開始する割合とが異なるよう構成されている
ことを特徴とするぱちんこ遊技機である。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
透析装置における複数の部品の圧力試験のためのシステムであって、
動脈血液管及び静脈血液管と透析器に流体接続された血液ポンプカセットを含む血液管セットを備え、
前記血液ポンプカセットは、気圧駆動される複数の隔壁ポンプ及び複数の隔壁弁と、前記動脈血液管又は前記静脈血液管に弁により接続される薬剤バイアルスパイクと、前記薬剤バイアルスパイクに弁により接続されるとともに前記動脈血液管又は前記静脈血液管に弁により接続される換気口と、を含み、
各隔壁ポンプは、可撓性を備えた隔壁によって駆動チャンバから分離されているポンプチャンバを含み、前記駆動チャンバは、気圧マニホールドへの接続のためのポートを有し、
前記気圧マニホールドは、前記複数の隔壁ポンプ及び複数の隔壁弁と、正又は負の気圧源との間における選択的な弁接続を提供し、
前記システムは、
前記複数の隔壁ポンプのうちの１つ以上における前記駆動チャンバに流体接続されている圧力センサと、
前記圧力センサから圧力情報を受信するように配置されるとともに、前記気圧マニホールドを介して各隔壁ポンプ及び各隔壁弁を選択的に制御するように配置されたコントローラと、をさらに備え、
前記コントローラは、
前記気圧マニホールドを制御して前記ポンプ及び前記弁を操作して空気を前記血液管セットに圧送することと、
前記血液管セットの複数のセクションの各々を隔離することと、
前記複数のセクションの各々の加圧を行うことと、
前記加圧の後の圧力情報を監視することと、
前記複数のセクションの各々に関連付けられている圧力減衰が所定の閾値を超えるか否かを判定することと、を行うように構成されている、
システム。
【請求項２】
前記血液管セットは複数であり、前記コントローラは、該複数の血液管セットを順次加圧して管のよじれ、締め具の閉鎖、又は凝血塊の存在を検知するように構成されている、請求項１に記載のシステム。
【請求項３】
前記コントローラは、前記透析器を湿潤状態にした後に前記血液管セットの全体を空気で加圧するように構成されるとともに、前記血液管セットの全体に関連付けられている圧力減衰を監視して、前記動脈血液管若しくは前記静脈血液管、血液管連結部、前記透析器、又は透析器連結部における漏出を検知するように構成されている、請求項１又は２に記載のシステム。
【請求項４】
前記透析装置は、前記動脈血液管及び前記静脈血液管が接続可能な動脈消毒ポート及び静脈消毒ポートを含み、前記コントローラは、加圧試験を行って前記動脈血液管及び前記静脈血液管の各消毒ポートへの固定が確保されているか否かを検知するように構成されている、請求項１から３のいずれか一項に記載のシステム。
【請求項５】
前記コントローラは、加圧試験を行ってヘパリンバイアルが前記薬剤バイアルスパイクに取り付けられているか否かを検知するように構成されている、請求項１から４のいずれか一項に記載のシステム。
【請求項６】
前記透析装置は透析流路を含み、該透析流路は、透析液タンクから１つ以上の透析液隔壁ポンプへと限外濾過装置を通じて延び、次いで、前記透析器に接続されている内側透析液回路へと延びており、前記コントローラは、前記限外濾過装置を加圧して限外濾過装置の膜内外圧力を判定するように構成されている、請求項１から５のいずれか一項に記載のシステム。
【請求項７】
前記コントローラは、前記膜内外圧力が最大動作限界を超えるか否かを示すように構成されている、請求項６に記載のシステム。
【請求項８】
前記コントローラは、前記透析流路における水の空気との入れ替えをすることと、前記限外濾過装置を空気で加圧することと、限外濾過装置圧力減衰限界を超えたか否かを検知することと、を行うように構成されている、請求項６に記載のシステム。
【請求項９】
前記コントローラは、前記透析液タンクの換気口弁から前記透析流路へと空気を導入するように構成されている、請求項８に記載のシステム。
【請求項１０】
前記コントローラは、前記透析装置に接続されている化学薬品濃縮液容器を加圧することと、前記化学薬品濃縮液容器が取り付けられているか否かを検知することと、を行うように構成されている、請求項１から９のいずれか一項に記載のシステム。
【請求項１１】
前記コントローラは、化学薬品濃縮液ポートを負圧で加圧して、前記化学薬品濃縮液ポートが大気に開放されているか否かを検知する、請求項１０に記載のシステム。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を実行する抽選手段と、前記抽選手段による抽選の結果に基づいて演出を実行する演出実行手段と、を有する遊技機であって、
前記抽選手段の抽選に基づき可変表示を実行する可変表示実行手段と、
待機位置と演出位置とに動作可能に設けられた可動構造体と、
前記抽選手段による抽選結果として特別結果が導出された場合に遊技者に有利な特別遊技状態に制御可能な特別遊技実行手段と、
前記特別遊技状態が実行されたのち、通常遊技状態よりも遊技者に有利な有利遊技状態に制御可能な有利遊技状態制御手段と、
を備え、
前記通常遊技状態よりも遊技者に有利な前記有利遊技状態に制御されると、前記通常遊技状態よりも相対的に前記抽選手段による抽選結果の導出が短くされており、
前記通常状態よりも相対的に前記抽選手段による抽選結果の導出が短くされた前記有利遊技状態において、抽選結果の導出が複数回実行される期間にわたり一連の表示演出を実行可能な期間演出実行手段を有し、
前記有利遊技状態中の前記期間演出実行手段によって一連の表示演出が実行可能とされた期間では、前記抽選結果の導出中に前記可動構造体を動作させる構造体動作演出を実行可能にされており、前記抽選手段による抽選結果が前記特別結果となる場合においては前記可動構造体を前記演出位置に動作させることで前記特別遊技状態に制御されることを遊技者に報知し、
遊技者に前記特別遊技状態に制御されることを報知するために前記可動構造体を前記演出位置に動作させる際は、並行して装飾図柄の組み合わせが特定の組み合わせとなるか演出する図柄変動演出を実行しない
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００６
【補正方法】変更
【補正の内容】
【０００６】
しかし、遊技者は興趣が低下するおそれがある。  
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明は、こうした実情に鑑みてなされたものであり、興趣の低下を抑制することを目的とする。
【手続補正６】
【補正対象書類名】明細書
【補正対象項目名】０００９
【補正方法】変更
【補正の内容】
【０００９】
手段１：所定条件の成立に基づいて抽選を実行する抽選手段と、前記抽選手段による抽選の結果に基づいて演出を実行する演出実行手段と、を有する遊技機であって、前記抽選手段の抽選に基づき可変表示を実行する可変表示実行手段と、待機位置と演出位置とに動作可能に設けられた可動構造体と、前記抽選手段による抽選結果として特別結果が導出された場合に遊技者に有利な特別遊技状態に制御可能な特別遊技実行手段と、前記特別遊技状態が実行されたのち、通常遊技状態よりも遊技者に有利な有利遊技状態に制御可能な有利遊技状態制御手段と、を備え、前記通常遊技状態よりも遊技者に有利な前記有利遊技状態に制御されると、前記通常遊技状態よりも相対的に前記抽選手段による抽選結果の導出が短くされており、前記通常状態よりも相対的に前記抽選手段による抽選結果の導出が短くされた前記有利遊技状態において、抽選結果の導出が複数回実行される期間にわたり一連の表示演出を実行可能な期間演出実行手段を有し、前記有利遊技状態中の前記期間演出実行手段によって一連の表示演出が実行可能とされた期間では、前記抽選結果の導出中に前記可動構造体を動作させる構造体動作演出を実行可能にされており、前記抽選手段による抽選結果が前記特別結果となる場合においては前記可動構造体を前記演出位置に動作させることで前記特別遊技状態に制御されることを遊技者に報知し、遊技者に前記特別遊技状態に制御されることを報知するために前記可動構造体を前記演出位置に動作させる際は、並行して装飾図柄の組み合わせが特定の組み合わせとなるか演出する図柄変動演出を実行しないことを特徴とする遊技機。  
【手続補正７】
【補正対象書類名】明細書
【補正対象項目名】００１０
【補正方法】削除
【補正の内容】
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
Ｗｎｔタンパク質を含むリポソームでのｅｘ  ｖｉｖｏ処置に供された細胞を含む、有効用量の単離された骨移植片材料であって、前記細胞が、前記Ｗｎｔタンパク質を含む前記リポソームでのｅｘ  ｖｉｖｏ処置後に、Ａｘｉｎ２、Ｔｃｆ４またはＬｅｆ１を含む１または複数のバイオマーカーについての発現のレベルの増大を有し、前記１または複数のバイオマーカーの発現のレベルの前記増大が、前記Ｗｎｔタンパク質を含む前記リポソームでのｅｘ  ｖｉｖｏ処置に供されていない、単離された骨移植片材料由来の同等の細胞と比べたものである、有効用量の単離された骨移植片材料。
【請求項２】
前記細胞が、Ｒｕｎｘ２、Ｏｓｔｅｒｉｘ、オステオカルシンまたはアルカリホスファターゼを含む、１または複数のバイオマーカーについての発現のレベルの増大をさらに有する、請求項１に記載の有効用量の単離された骨移植片材料。
【請求項３】
Ａｘｉｎ２またはＬｅｆ１発現のレベルの前記増大が、Ａｘｉｎ２またはＬｅｆ１遺伝子発現のレベルの増大である、請求項１に記載の有効用量の単離された骨移植片材料。
【請求項４】
Ｒｕｎｘ２発現のレベルの前記増大が、Ｒｕｎｘ２タンパク質発現のレベルの増大である、請求項２に記載の有効用量の単離された骨移植片材料。
【請求項５】
前記Ｗｎｔタンパク質がＷｎｔ３ａタンパク質である、請求項１に記載の有効用量の単離された骨移植片材料。
【請求項６】
前記細胞が骨髄幹細胞または骨髄前駆細胞を含む、請求項１に記載の有効用量の単離された骨移植片材料。
【請求項７】
前記細胞が間葉系幹細胞または骨細胞を含む、請求項１に記載の有効用量の単離された骨移植片材料。
【請求項８】
前記単離された骨移植片材料が、前記Ｗｎｔタンパク質を含む前記リポソームでのｅｘ  ｖｉｖｏ処置後にアポトーシスの低減を有する細胞を含み、アポトーシスの前記低減が、前記Ｗｎｔタンパク質を含む前記リポソームでのｅｘ  ｖｉｖｏ処置に供されていない、単離された骨移植片材料由来の同等の細胞と比べたものである、請求項１に記載の有効用量の単離された骨移植片材料。
【請求項９】
前記細胞におけるカスパーゼ活性の低減が、前記Ｗｎｔタンパク質を含む前記リポソームでのｅｘ  ｖｉｖｏ処置に供されていない、単離された骨移植片材料由来の同等の細胞と比べたカスパーゼ活性の低減として測定される、請求項８に記載の有効用量の単離された骨移植片材料。
【請求項１０】
前記単離された骨移植片材料が、前記Ｗｎｔタンパク質を含む前記リポソームでのｅｘ  ｖｉｖｏ処置後に細胞増殖の増大を有する細胞を含み、細胞増殖の前記増大が、前記Ｗｎｔタンパク質を含む前記リポソームでのｅｘ  ｖｉｖｏ処置に供されていない、単離された骨移植片材料由来の同等の細胞と比べたものである、請求項１に記載の有効用量の単離された骨移植片材料。
【請求項１１】
前記細胞における有糸分裂活性の増大が、前記Ｗｎｔタンパク質を含む前記リポソームでのｅｘ  ｖｉｖｏ処置に供されていない、単離された骨移植片材料由来の同等の細胞と比べた有糸分裂活性の増大として測定される、請求項１０に記載の有効用量の単離された骨移植片材料。
【請求項１２】
前記単離された骨移植片材料が単離されたヒト骨移植片材料である、請求項１に記載の有効用量の単離された骨移植片材料。
【請求項１３】
前記単離されたヒト骨移植片材料が少なくとも５０歳のヒト被験体由来である、請求項１に記載の有効用量の単離された骨移植片材料。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
識別情報の変動表示を行う識別情報表示手段と、
遊技者に所定の特典を付与する特典付与手段と、
を備え、
前記識別情報表示手段にて変動表示される識別情報が停止表示された際の表示態様によって、前記特典が付与されるか否かを示すことが可能な遊技機であって、
所定の遊技期間を設定可能な遊技期間設定手段を備え、
前記遊技期間として、少なくとも第１期間と第２期間とを有し、
前記特典として、少なくとも第１特典と該第１特典よりも遊技者にとって有利な第２特典とを有し、
前記第２特典が付与される場合の前記表示態様として、少なくとも第１表示態様と該第１表示態様よりも前記第２特典の付与可能性が高いことを示す第２表示態様とを有し、
前記第２特典が付与される場合の前記表示態様が前記第２表示態様となる可能性が、前記第１期間と前記第２期間とで異なり、
前記遊技期間では、第１期間よりも第２期間の方が相対的に短い
ことを特徴とする遊技機。
【手続補正２】
【補正対象書類名】明細書
【補正対象項目名】０００７
【補正方法】変更
【補正の内容】
【０００７】
本発明の遊技機は、
識別情報の変動表示を行う識別情報表示手段と、
遊技者に所定の特典を付与する特典付与手段と、
を備え、
前記識別情報表示手段にて変動表示される識別情報が停止表示された際の表示態様によって、前記特典が付与されるか否かを示すことが可能な遊技機であって、
所定の遊技期間を設定可能な遊技期間設定手段を備え、
前記遊技期間として、少なくとも第１期間と第２期間とを有し、
前記特典として、少なくとも第１特典と該第１特典よりも遊技者にとって有利な第２特典とを有し、
前記第２特典が付与される場合の前記表示態様として、少なくとも第１表示態様と該第１表示態様よりも前記第２特典の付与可能性が高いことを示す第２表示態様とを有し、
前記第２特典が付与される場合の前記表示態様が前記第２表示態様となる可能性が、前記第１期間と前記第２期間とで異なり、
前記遊技期間では、第１期間よりも第２期間の方が相対的に短い
ことを要旨とする。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選情報を取得する抽選情報取得手段と、
前記抽選情報取得手段が取得した抽選情報に基づいて、当りであるかを判定する判定手段と、
開始条件の成立に基づいて特別図柄変動を実行する特別図柄変動実行手段と、
前記始動条件の成立は満たされたものの前記開始条件の成立が満たされなかった場合には、所定数を上限として前記抽選情報を記憶して保留する保留手段と、
前記判定手段による判定が行われるよりも前に当りであるかを判定する事前判定手段と、を備え、
前記事前判定手段による判定に基づいて、演出状態を第１演出状態又は第２演出状態に制御可能であり、
前記第１演出状態よりも前記第２演出状態の方が前記当りに対する期待が高いとされており、
前記第１演出状態であることを報知可能な第１報知演出、及び前記第２演出状態であることを報知可能な第２報知演出が表示可能とされており、
ノーマルリーチ演出より前記当りに対する期待が高い特定リーチ演出を実行可能であって、
前記第２報知演出が表示されている状態で前記特定リーチ演出が実行された場合には、当該第２報知演出が表示されていることによって前記第２演出状態であることがわかるのに対し、前記第２報知演出が表示されている状態で実行される前記特定リーチ演出と同一の当該特定リーチ演出が前記第１報知演出が表示されている状態で実行された場合には、当該特定リーチ演出が開始されてから当該特定リーチ演出が終了するまでの全ての期間において当該第１報知演出が表示されなくなり、
前記特別図柄変動が実行されている状態において演出用図柄を仮停止させてから当該演出用図柄を再度変動させる擬似変動演出を実行可能であって、さらに当該演出用図柄が再度変動することを示す特定画像を表示可能とされており、
前記第１報知演出が表示されている状態において前記特定画像が表示されると一旦は当該第１報知演出が表示されないものの再び当該第１報知演出が表示されるようになされており、
前記特定リーチ演出は特定のタイミングが到来すると当該特定リーチ演出の結果が報知されるものであって、前記第２報知演出が表示されている状態で当該特定リーチ演出における当該特定のタイミングが到来したときには当該第２報知演出を非表示としていることで、当該特定のタイミング以降では前記第１演出状態または当該第２演出状態のいずれであるかがわからないようになされており、
前記第２報知演出が表示されている状態で前記特定リーチ演出が実行されているときに当該第２報知演出とは異なる画像が表示されていると、当該異なる画像の表示されている位置が当該第２報知演出の手前側であって且つ重なる位置であることで、当該第２報知演出の一部が視認不能である
ことを特徴とする遊技機。
【手続補正２】
【補正対象書類名】明細書
【補正対象項目名】０００７
【補正方法】変更
【補正の内容】
【０００７】
上記課題を解決するため本発明は、以下の構成を採用する。遊技機は、始動条件の成立に基づいて抽選情報を取得する抽選情報取得手段と、前記抽選情報取得手段が取得した抽選情報に基づいて、当りであるかを判定する判定手段と、開始条件の成立に基づいて特別図柄変動を実行する特別図柄変動実行手段と、前記始動条件の成立は満たされたものの前記開始条件の成立が満たされなかった場合には、所定数を上限として前記抽選情報を記憶して保留する保留手段と、前記判定手段による判定が行われるよりも前に当りであるかを判定する事前判定手段と、を備え、前記事前判定手段による判定に基づいて、演出状態を第１演出状態又は第２演出状態に制御可能であり、前記第１演出状態よりも前記第２演出状態の方が前記当りに対する期待が高いとされており、前記第１演出状態であることを報知可能な第１報知演出、及び前記第２演出状態であることを報知可能な第２報知演出が表示可能とされており、ノーマルリーチ演出より前記当りに対する期待が高い特定リーチ演出を実行可能であって、前記第２報知演出が表示されている状態で前記特定リーチ演出が実行された場合には、当該第２報知演出が表示されていることによって前記第２演出状態であることがわかるのに対し、前記第２報知演出が表示されている状態で実行される前記特定リーチ演出と同一の当該特定リーチ演出が前記第１報知演出が表示されている状態で実行された場合には、当該特定リーチ演出が開始されてから当該特定リーチ演出が終了するまでの全ての期間において当該第１報知演出が表示されなくなり、前記特別図柄変動が実行されている状態において演出用図柄を仮停止させてから当該演出用図柄を再度変動させる擬似変動演出を実行可能であって、さらに当該演出用図柄が再度変動することを示す特定画像を表示可能とされており、前記第１報知演出が表示されている状態において前記特定画像が表示されると一旦は当該第１報知演出が表示されないものの再び当該第１報知演出が表示されるようになされており、前記特定リーチ演出は特定のタイミングが到来すると当該特定リーチ演出の結果が報知されるものであって、前記第２報知演出が表示されている状態で当該特定リーチ演出における当該特定のタイミングが到来したときには当該第２報知演出を非表示としていることで、当該特定のタイミング以降では前記第１演出状態または当該第２演出状態のいずれであるかがわからないようになされており、前記第２報知演出が表示されている状態で前記特定リーチ演出が実行されているときに当該第２報知演出とは異なる画像が表示されていると、当該異なる画像の表示されている位置が当該第２報知演出の手前側であって且つ重なる位置であることで、当該第２報知演出の一部が視認不能であることを特徴とする。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
シートクッションと、
乗員の背中を支持する受圧部材を備えたシートバックと、
呼吸センサと、
少なくとも前記受圧部材の向きを左右に変更可能に配置されたアクチュエータと、
前記アクチュエータを制御する制御装置とを備え、
前記制御装置は、
前記呼吸センサからの信号に基づいて運転者の居眠りを検出する居眠り検出手段と、
前記居眠り検出手段が居眠りを検出した場合に、前記アクチュエータを駆動して前記受圧部材の向きを変更する居眠り警告手段とを有し、
前記呼吸センサは、前記シートクッションに配置され、
前記アクチュエータは、前記シートバックに配置されていることを特徴とする乗物用シート。
【請求項２】
前記呼吸センサは、左右に並んで２つ配置され、上面から加えられる圧力の大きさに応じて変形することで変化する電気抵抗値に係る電気信号を前記制御装置に出力することを特徴とする請求項１に記載の乗物用シート。
【請求項３】
前記アクチュエータは、左右方向において、２つの前記呼吸センサよりも外側に位置することを特徴とする請求項２に記載の乗物用シート。
【請求項４】
前記受圧部材は、受圧部と、前記受圧部の左右両端から左右方向外側および前方に延出した支持部と、を有し、
前記アクチュエータは、前記受圧部の向きを変更することを特徴とする請求項１から請求項３のいずれか１項に記載の乗物用シート。
【誤訳訂正書】
【提出日】令和2年8月27日(2020.8.27)
【誤訳訂正１】
【訂正対象書類名】特許請求の範囲
【訂正対象項目名】全文
【訂正方法】変更
【訂正の内容】
【特許請求の範囲】
【請求項１】
水のｐＨを制御するための方法であって、
少なくとも１つのメラニン物質を前記水と接触するように配置することを含み、前記メラニン物質は、メラニンであり、
前記少なくとも１つのメラニン物質と接触する前の前記水の初期ｐＨが７．０未満である場合は、前記少なくとも１つのメラニン物質の存在が前記初期ｐＨを上昇させ；及び
前記少なくとも１つのメラニン物質と接触する前の前記水の初期ｐＨが７．０より大きい場合は、前記少なくとも１つのメラニン物質の存在が前記初期ｐＨを低下させる、方法。
【請求項２】
前記水の前記初期ｐＨが、前記少なくとも１つのメラニン物質と接触させられた後に０．１から０．６ｐＨ単位だけ上昇させられる、請求項１に記載の方法。
【請求項３】
前記水が塩水である、請求項１または２に記載の方法。
【請求項４】
前記少なくとも１つのメラニン物質が、合成メラニン又は天然メラニンである、請求項１〜３のいずれか１項に記載の方法。
【請求項５】
前記少なくとも１つのメラニン物質が、少なくとも１つの不活性物質内に埋め込まれている前記少なくとも１つのメラニン物質を含むメラニン形態として存在する、請求項１〜４のいずれか１項に記載の方法。
【請求項６】
前記少なくとも１つの不活性物質が、アルミニウム、ケイ素、シリカ、カルシウム、金及び銀からなる群から選択される、請求項５に記載の方法。
【請求項７】
前記少なくとも１つのメラニン物質が、圧縮または付着により、前記少なくとも１つの不活性物質内に埋め込まれている、請求項５または６に記載の方法。
【請求項８】
前記水が、溶存ＣＯ２、重炭酸塩、及び他の炭酸塩誘導体の少なくとも１つを含み、並びに前記少なくとも１つのメラニン物質が、前記水、ＣＯ２、及び炭酸塩誘導体間の反応を触媒し、前記カーボン誘導体がＨ２ＣＯ３、ＨＣＯ３−、及びＣＯ３２−からなる群から選択される、請求項１〜７のいずれか１項に記載の方法。
【誤訳訂正２】
【訂正対象書類名】明細書
【訂正対象項目名】００５１
【訂正方法】変更
【訂正の内容】
【００５１】
実験２
別の実験では、１立方センチメートルのメラニン形態が、ケイ素、シリカ、カルシウム、及び／又はアルミニウムのような不活性要素を使用して作製された。メラニン形態は、１体積％のメラニン及び９９体積％の不活性物質を含有した。１０個のそのようなメラニン形態が、１６００ｍＬの水中に１００ｇの重炭酸塩を混合することで調製された重炭酸塩水溶液中に配置された。４８時間後、グルコースレベルが、１００ｍＬの水当たり平均で８ｇのグルコースであると測定された。